(57)【要約】【課題】初期化処理中やスタンバイ状態において、電源を画像投射装置に供給する外部機器と接続する場合に、無信号状態で画像投射装置の光源がオンとなる状態を回避する。【解決手段】ＨＤＭＩケーブル１２０を介して接続された映像供給装置１１０から映像信号を受信して、画像を投射する画像投射装置１であって、スタンバイ状態で有効である副制御部２８と、スタンバイ状態では無効であって、副制御部２８から起動制御されるとともに、起動後に光源を駆動させる主制御部２４と、を備え、副制御部２８は、スタンバイ状態において５Ｖ信号の入力を検知したときに、映像供給装置１１０に対して、映像信号を出力可能な起動状態へ移行させるための電源オン信号を出力する電源オン信号出力手段２９と、電源オン信号出力手段２９による電源オン信号の出力後に、主制御部２４を起動させる主制御部起動手段３０と、を備える。【選択図】図８
2016100664.tif 000002
【特許請求の範囲】
【請求項１】
通信インタフェースを介して接続された映像供給装置から映像信号を受信して、該映像信号に基づいて生成した画像を投射する画像投射装置であって、
該画像投射装置のスタンバイ状態で有効である副制御部と、
前記スタンバイ状態では無効であって、前記副制御部から起動制御されるとともに、起動後に光源を駆動させる主制御部と、を備え、
前記副制御部は、
前記スタンバイ状態において所定の電圧信号の入力を検知したときに、前記通信インタフェースで接続された前記映像供給装置に対して、前記映像信号を出力可能な起動状態へ移行させるための電源オン信号を出力する電源オン信号出力手段と、
前記電源オン信号出力手段による前記電源オン信号の出力後に、前記主制御部を起動させる主制御部起動手段と、を備えることを特徴とする画像投射装置。
【請求項２】
前記副制御部は、
前記スタンバイ状態において前記電圧信号の入力を検知したときに、前記映像供給装置の状態を確認するステータス確認信号を前記映像供給装置に出力するステータス確認信号出力手段をさらに備え、
前記電源オン信号出力手段は、前記ステータス確認信号の応答として前記映像供給装置がスタンバイ状態である旨の応答を受けた際に、前記映像供給装置に対して前記電源オン信号を出力することを特徴とする請求項１に記載の画像投射装置。
【請求項３】
前記主制御部起動手段は、前記映像供給装置から前記電源オン信号に対する応答を受信した際に、前記主制御部を起動させることを特徴とする請求項１または２に記載の画像投射装置。
【請求項４】
前記主制御部起動手段は、前記ステータス確認信号の応答として前記映像供給装置が前記起動状態である旨の応答を受けた際に、前記主制御部を起動させることを特徴とする請求項２に記載の画像投射装置。
【請求項５】
前記通信インタフェースは、ＨＤＭＩ（High  Definition  Multimedia  Interface）であることを特徴とする請求項１から４までのいずれかに記載の画像投射装置。
【請求項６】
請求項１から５までのいずれかに記載の画像投射装置と、
前記映像供給装置と、
を前記通信インタフェースを介して接続してなることを特徴とする画像投射システム。
【請求項７】
通信インタフェースを介して接続された映像供給装置から映像信号を受信して、該映像信号に基づいて生成した画像を投射する画像投射装置の制御方法であって、
前記画像投射装置は、スタンバイ状態で有効である副制御部と、
前記スタンバイ状態では無効であって、前記副制御部から起動制御されるとともに、起動後に光源を駆動させる主制御部と、を備え、
前記副制御部において、
前記スタンバイ状態において所定の電圧信号の入力を検知したときに、前記通信インタフェースで接続された前記映像供給装置に対して、前記映像信号を出力可能な起動状態へ移行させるための電源オン信号を出力する電源オン信号出力処理と、
前記電源オン信号出力手段による前記電源オン信号の出力後に、前記主制御部を起動させる主制御部起動処理と、を行うようにしたことを特徴とする画像投射装置の制御方法。
【発明の詳細な説明】
【技術分野】
【０００１】
本発明は、画像投射装置、画像投射システムおよび画像投射装置の制御方法に関する。
【背景技術】
【０００２】
デジタル放送受信機能を有するテレビや、放送を録画、再生する機能を有する録画再生機などのＡＶ（Audio  Visual）機器の分野においては、画像／映像信号（以下、映像信号という）を出力する映像供給装置（外部機器、ソース機ともいう）と、映像信号が入力され、これを表示する映像表示装置（シンク機ともいう）とを、所定の通信インタフェース、例えば、ＨＤＭＩ（登録商標）（High  Definition  Multimedia  Interface）（登録商標）規格のケーブル（以下、ＨＤＭＩケーブル）によって接続することが主流となっている。
【０００３】
また、プロジェクタなどの投射型映像表示装置（以下、画像投射装置という）から投射、出力する映像を、パーソナルコンピュータなどの情報処理装置から送信する場合も、ＨＤＭＩ規格が広く採用されており、この場合、情報処理装置が映像供給装置、画像投射装置がシンク機となる。
【０００４】
ここで、画像投射装置がスタンバイ状態であって、外部機器とケーブルで接続されており、この状態で映像信号を受信したり、所定の電源（例えば、５Ｖ電圧信号）が供給されたりすると、画像投射装置側でその変化を検知して、スタンバイ状態から電源オン状態となる技術が知られている。画像投射装置は、電源オン状態となると、ランプなどの光源をオンとして、スクリーンなどの被投射面に映像が投射されることとなる。
【０００５】
また、特許文献１には、外部機器から映像信号の入力開始を予告する制御情報を入力した時点で投影系が投影可能な状態であるか否かを判断し、投影可能な状態ではないと判断した場合、投影系が投影可能な状態となるまで待機させ、投影可能な状態となった時点で外部機器に対して映像信号の出力を要求する画像出力装置が開示されている。この特許文献１では、プロジェクタのランプが点灯していない場合は、外部機器側にその情報を伝えることで、映像再生を行わないようにするものである。
【発明の概要】
【発明が解決しようとする課題】
【０００６】
しかしながら、外部機器には、外部機器としてはＡＣ電源オン直後の初期化処理時や、スタンバイ状態であるが、所定の電源（５Ｖ電圧）をシンク機に供給する機器も存在する。このため、このような外部機器と、画像投射装置が接続されている場合は、画像投射装置はスタンバイ状態から電源オン状態に遷移するが、外部機器は、スタンバイ状態であるため、映像信号を出力していない。よって、画像投射装置側では、光源がオンとなるものの、投射すべき映像等がない無信号状態で、被投射面へ投射されてしまうという問題があった。
【０００７】
具体的には、以下のケースが考えられる。前提として、外部機器と画像投射装置がＨＤＭＩケーブルで接続されており、画像投射装置がスタンバイ状態とする。
（１）外部機器には、初期化処理時にシンク機に電源を供給するものがある。すなわち、外部機器のＡＣ電源をオンとすると、外部機器は初期化処理が始まり、その間、５Ｖ電圧を供給する。初期化処理が終わると、スタンバイ状態に遷移して、５Ｖ電圧の供給は停止される。このような外部機器では、外部機器のＡＣ電源をオンにした直後、画像投射装置で５Ｖ電圧を検知するため、画像投射装置ではスタンバイ状態から電源オン状態に遷移し、映像を投射する。しかしながら、外部機器の初期化処理が完了しスタンバイ状態に遷移すると、無信号状態となり、何も画像が投射されなくなる。
（２）また、外部機器には、スタンバイ状態でシンク機に電源を供給するものがある。すなわち、外部機器のＡＣ電源をオンとすると、外部機器は初期化処理が始まり、初期化処理が終わると、スタンバイ状態に遷移して、５Ｖ電圧を供給する。このような外部機器では、外部機器のＡＣ電源をオンとすると、画像投射装置で５Ｖ電圧を検知するため、画像投射装置ではスタンバイ状態から電源オン状態に遷移し、映像を投射する。しかしながら、外部機器はスタンバイ状態で何も映像信号を出力していないため、無信号状態となり、何も画像が投射されなくなる。
【０００８】
そこで本発明は、ＡＣ電源オン直後の初期化処理中やスタンバイ状態において、所定の電源を画像投射装置に供給する外部機器と接続する場合に、画像投射装置を電源オン状態にするとともに、外部機器も起動させることができる画像投射装置を提供することを目的とする。
【課題を解決するための手段】
【０００９】
かかる目的を達成するため、本発明に係る画像投射装置は、通信インタフェースを介して接続された映像供給装置から映像信号を受信して、該映像信号に基づいて生成した画像を投射する画像投射装置であって、該画像投射装置のスタンバイ状態で有効である副制御部と、前記スタンバイ状態では無効であって、前記副制御部から起動制御されるとともに、起動後に光源を駆動させる主制御部と、を備え、前記副制御部は、前記スタンバイ状態において所定の電圧信号の入力を検知したときに、前記通信インタフェースで接続された前記映像供給装置に対して、前記映像信号を出力可能な起動状態へ移行させるための電源オン信号を出力する電源オン信号出力手段と、前記電源オン信号出力手段による前記電源オン信号の出力後に、前記主制御部を起動させる主制御部起動手段と、を備えるものである。
【発明の効果】
【００１０】
本発明によれば、ＡＣ電源オン直後の初期化処理中やスタンバイ状態において、所定の電源を画像投射装置に供給する外部機器と接続する場合に、画像投射装置を電源オン状態にするとともに、外部機器も起動させて、無信号状態で画像投射装置の光源がオンとなる状態を回避することができる。
【図面の簡単な説明】
【００１１】
【図１】画像投射システムの一例を示す概略構成図である。
【図２】本発明に係る画像投射装置の一実施形態を示す外観斜視図である。
【図３】画像投射装置の側面図であって、被投射面への投射状態を示した図である。
【図４】（Ａ）画像投射装置の外装カバーを外した状態を示す斜視図、（Ｂ）（Ａ）の丸囲み部分の拡大構成図である。
【図５】照明ユニット、投射ユニット、画像表示素子ユニット、および光源ユニットの断面図である。
【図６】画像投射装置の機能ブロック図である。
【図７】画像投射システムにおける画像投射装置と外部機器との接続状態についての説明図である。
【図８】副制御部およびＨＤＭＩケーブル内の信号ラインの説明図である。
【図９】画像投射装置が実行する電源制御の一例を示すフローチャートである。
【図１０】画像投射装置が実行する電源制御の他の例を示すフローチャートである。
【発明を実施するための形態】
【００１２】
以下、本発明に係る構成を図１から図１０に示す実施の形態に基づいて詳細に説明する。
【００１３】
本実施形態に係る画像投射装置は、通信インタフェース（ＨＤＭＩケーブル１２０）を介して接続された映像供給装置（映像供給装置１１０）から映像信号を受信して、該映像信号に基づいて生成した画像を投射する画像投射装置（画像投射装置１）であって、該画像投射装置のスタンバイ状態で有効である副制御部（副制御部２８）と、スタンバイ状態では無効であって、副制御部から起動制御されるとともに、起動後に光源（ランプ１５）を駆動させる主制御部（主制御部２４）と、を備え、副制御部は、スタンバイ状態において所定の電圧信号（５Ｖ信号）の入力を検知したときに、通信インタフェースで接続された映像供給装置に対して、映像信号を出力可能な起動状態（電源オン状態）へ移行させるための電源オン信号を出力する電源オン信号出力手段（電源オン信号出力手段２９）と、電源オン信号出力手段による電源オン信号の出力後に、主制御部を起動させる主制御部起動手段（主制御部起動手段３０）と、を備えるものである。なお、括弧内は実施形態での符号、適用例を示す。
【００１４】
［画像投射システム］
図１は、画像投射システム１００の一例を示す概略構成図である。画像投射システム１００は、画像投射装置（プロジェクタ）１と、映像信号を供給する映像供給装置１１０と、を含んで構成されており、画像投射装置１と映像供給装置１１０とは、ケーブル１２０によって接続されている。なお、映像信号には静止画表示のための画像信号も含まれる。
【００１５】
画像投射装置１は、映像供給装置１１０が提供する映像データを基に映像を生成し、スクリーン１３０等の被投射面に投射するプロジェクタである。図１では、スクリーン１３０上に画像投射装置１から投射画像１４０が投射されている。
【００１６】
画像投射装置１は、映像信号を入力するインタフェースとして、ＨＤＭＩ（High-Definition  Multimedia  Interface）（登録商標）端子、ＤｉｓｐｌａｙＰｏｒｔ端子、Ｔｈｕｎｄｅｒｂｏｌｔ端子、ＶＧＡ（Video  Graphics  Array）入力端子、Ｓ−ＶＩＤＥＯ端子、ＲＣＡ端子等の画像入力端子を備えている。また、画像投射装置１は、複数の画像入力端子を備えていることが好ましい。画像入力端子に接続されたケーブル１２０を介して映像供給装置１１０から映像信号を受信する。ケーブル１２０は、例えば、ＨＤＭＩケーブルである。
【００１７】
また、画像投射装置１は、Ｂｌｕｅｔｏｏｔｈ（登録商標）やＷｉＦｉ（登録商標）等の無線通信プロトコルに準拠した無線通信により、映像供給装置１１０から映像信号を受信してもよい。
【００１８】
映像供給装置１１０は、画像投射装置１が投射すべき画像を提供する装置である。映像供給装置１１０は、映像信号を出力するインタフェースを備えており、映像供給装置１１０の表示画像を形成する映像信号を所定の転送レート（例えば、３０ｆｐｓ（frame  per  second）〜６０ｆｐｓ）で画像投射装置１に送信する。
【００１９】
映像供給装置１１０も同様に、映像信号を出力するインタフェースとして、ＨＤＭＩ端子、ＤｉｓｐｌａｙＰｏｒｔ端子、Ｔｈｕｎｄｅｒｂｏｌｔ端子、ＶＧＡ入力端子、Ｓ−ＶＩＤＥＯ端子、ＲＣＡ端子等の画像出力端子を備えており、これらの端子に接続されたケーブル１２０を介して画像投射装置１に送信することができる。また、映像供給装置１１０は、無線通信により、画像投射装置１に映像信号を送信してもよい。
【００２０】
映像供給装置１１０としては、例えば、ノート型ＰＣ、デスクトップ型ＰＣやタブレット型ＰＣ、ＰＤＡ等の映像信号を供給可能な情報処理装置や、ＤＶＤプレーヤー、ブルーレイプレーヤー等の再生装置を用いることができる。なお、図１に示す例では、画像投射装置１に１つの映像供給装置１１０が接続されているが、画像投射装置１に複数の映像供給装置１１０を接続するものであってもよい。
【００２１】
［画像投射装置］
（構成）
図２は、画像投射装置１の一実施形態を示す外観斜視図である。また、図３は、画像投射装置１の側面図であって、被投射面であるスクリーン１３０への投射状態を示した図である。
【００２２】
画像投射装置１は、装置内部に光源としてのランプや多数の電子基板を備えており、起動時には、装置の内部温度が上昇する。このため、画像投射装置１には、内部の構成部品が耐熱温度を超えないように、吸気口１１および排気口１２が設けられている。
【００２３】
図４（Ａ）は、画像投射装置１の外装カバー２を外した状態を示す斜視図である。また、図４（Ｂ）は図４（Ａ）の丸囲み部分で示す光学エンジン３と光源ユニット４の拡大構成図である。図４に示すように、画像投射装置１は、光学エンジン３および光源ユニット４を備えている。また、図５は、照明装置である照明ユニット３ａ（照明光学系）、投射ユニット３ｂ（投射光学系）、画像表示素子ユニット１０、および光源ユニット４の上面から見た断面図である。光学エンジン３は、照明ユニット３ａおよび投射ユニット３ｂからなる。
【００２４】
図４に示すように、吸気口１１、排気口１２の内側には、それぞれ吸気ファン１３、排気ファン１４が設けられており、吸気ファン１３から吸入した外気を排気ファン１４から排出することで、装置内の強制気流による空冷がなされる。
【００２５】
画像投射装置１においては、光源ユニット４の光源からの光（白色光）が光学エンジン３の照明ユニット３ａに照射される。照明ユニット３ａ内では、照射された白色光をＲＧＢに分光した後、レンズ、ミラー等により画像表示素子ユニット１０へ導き、変調信号に応じて画像形成する画像表示素子ユニット１０とその画像を投射ユニット３ｂによりスクリーン１３０へ拡大投射する構成となっている。
【００２６】
光源ユニット４の光源であるランプ１５としては、種々のランプを用いることができるが、例えば、高圧水銀ランプ、キセノンランプなどのアークランプを用いることができる。例えば、高圧水銀ランプを用いることが好ましい。
【００２７】
また、光源ユニット４の側面の一方向側には光源冷却手段としての１つの冷却ファン１６が設けられている。冷却ファン１６は、光源ユニット４の各部が設定された定格温度範囲内の温度となるように、その回転数が制御される。また、光源ユニット４からの光の出射方向と投射ユニット３ｂからの画像光の出射方向は、図５に示すように、略９０°の関係となっている。
【００２８】
また、光学エンジン３の照明ユニット３ａは、光源から照射された光を分光するカラーホイール５（回転色フィルター）と、カラーホイール５から出射した光を導くライトトンネル６と、リレーレンズ７、平面ミラー８および凹面ミラー９と、を備えている。また、照明ユニット３ａ内には、画像表示素子ユニット１０が設けられる。
【００２９】
照明ユニット３ａでは、先ず、光源からの出射光である白色光が、円盤状のカラーホイール５で単位時間毎にＲＧＢの各色が繰り返す光に変換され出射される。カラーホイール５から出射された色分離された光は、ライトトンネル６に導かれる。ライトトンネル６は、入射された光がその内部（内壁）で複数回反射され合成されることで均一化する照明均一変換光学部材である。
【００３０】
次いで、ライトトンネル６から出射された光は、２枚のレンズを組み合わせてなるリレーレンズ７により、光の軸上色収差を補正しつつ集光される。また、リレーレンズ７から出射される光は、平面ミラー８および凹面ミラー９によって反射されて、画像表示素子ユニット１０に集光される。画像表示素子ユニット１０は、複数のマイクロミラーからなる略矩形のミラー面を有し、画像データに基づいて各マイクロミラーが時分割駆動されることにより、所定の画像を形成するように投射光を加工して反射する画像表示素子（光変調素子）としてのＤＭＤ素子１０ａを備えている。
【００３１】
画像表示素子ユニット１０は、入力信号に応じてマイクロミラーのオンオフを切り替えることで投射ユニットへ光を出力する光を選別するとともに階調を表現する。すなわち、ＤＭＤ素子１０ａにより、時分割で画像データに基づいて、複数のマイクロミラーが使用する光は投射レンズへ反射され、捨てる光はＯＦＦ光板へ反射される。画像表示素子ユニット１０で使用する光は投射ユニット３ｂへ反射し、投射ユニット３ｂ内の複数の投射レンズを通り拡大された画像光はスクリーン１３０上へ拡大投射される。
【００３２】
図６に画像投射装置１の機能ブロック図を示す。画像投射装置１は、画像入力端子２１と、映像処理部２２と、スケール処理部２３と、主制御部２４（メイン）と、メモリ２５と、操作部２６と、ドライブ回路２７と、副制御部２８（サブ）、画像表示素子ユニット１０と、ランプ１５と、投射光学系３ｂと、を備えている。
【００３３】
画像入力端子２１は、外部機器から映像信号が入力される映像信号入力部であって、本実施形態では、ＨＤＭＩ入力端子である。なお、他にＶＧＡ端子やビデオ端子などを備えている。
【００３４】
映像処理部２２は、画像入力端子２１から入力される外部機器からの映像信号を受け取り、当該映像信号にシリアル−パラレル変換や電圧レベル変換などの種々の処理を施して、スケール処理部２３が受け取ることができる映像信号（映像デジタル信号）に変換する。
【００３５】
スケール処理部２３には、映像処理部２２から出力される映像デジタル信号が入力される。スケール処理部２３は、映像信号のタイミングから縦と横の画素数を判定し、画像投射装置１の出力画素数のアスペクト比に対して入力映像が最適な表示になるようにスケーリングを行なう。
【００３６】
主制御部２４は、マイクロコントローラで構成され、ＣＰＵ（中央演算処理ユニット）、ＲＯＭ（リードオンリーメモリ）、ＲＡＭ（ランダムアクセスメモリ）などの演算回路および記憶回路を備えている。そして、主制御部２４は、画像投射装置１の全般的な制御を行うと共に、各種の設定及び比較を行うための制御を行う。
【００３７】
メモリ２５は、各種の画像処理プログラム、主制御部２４で設定した設定値等を記憶した記憶手段であって、主制御部２４は、メモリ２５に記憶された画像処理プログラム等に基づいて各種の処理を実行する。メモリ２５としては、例えば、ＥＰＲＯＭやＥＥＰＲＯＭ、フラッシュメモリ等の種々の不揮発性半導体メモリを採用することができ、電源オフ後も設定内容（言語設定など）が保存される。
【００３８】
操作部２６は、ユーザからの種々の操作要求を受け付けるものであり、画像投射装置１の外面に設けられるキーボタン（本体キー）、またはリモコン送信機のキー入力部等によって構成される。例えばプロジェクタの各種設定や選択を行うためのメニュー画面を表示させるメニューキーなどを備えている。
【００３９】
また、操作要求には、メニュー画面等のＯＳＤ画面の表示指示、投影している画像のアスペクト比の変更要求、画像投射装置１の電源ＯＦＦ要求、ランプ１５の光量を変更するランプパワー変更要求、などが含まれる。操作部２６は、操作要求を受け付けると、当該操作要求を主制御部２４に通知する。
【００４０】
ドライブ回路２７には、スケール処理部２３からスケーリングされた映像信号及びその同期信号が入力され、ドライブ回路２７は、画像表示素子ユニット１０の画像表示素子（ＤＭＤ素子１０ａ）を駆動する。画像表示素子ユニット１０にて、スケーリングされた映像を表示し、その映像によってランプ１５からの光を変調する。そして、画像表示素子ユニット１０からの映像光は、投射ユニット３ｂによりスクリーン１３０上に拡大投影される。
【００４１】
本実施形態では、外部機器である映像供給装置１１０と画像投射装置１とは、ＨＤＭＩケーブルで接続されるものとする。ＨＤＭＩケーブルにはＴＭＤＳ（Transition  Minimized  Differential  Signaling）チャネル、ＤＤＣ（Display  Data  Channel）ライン、ＣＥＣ（Consumer  Electronics  Control：家電制御）ライン、ＨＰＤ（Hot  Plug  Detect）ライン、５Ｖラインが用意されている。ここで、ＣＥＣラインは、機器間の連携動作を実現するためのＣＥＣ信号を通信するものであり、５Ｖラインは、外部機器が画像投射装置１に対して５Ｖ電源の供給するための５Ｖ信号を通信するものである。
【００４２】
外部機器から画像入力端子２１を介して入力されるＣＥＣ信号と５Ｖ信号は、副制御部２８に入力される。副制御部２８は、マイクロコントローラで構成され、ＨＤＭＩレシーバーとして機能する。副制御部２８において、外部機器との接続検知および画像投射装置１の起動制御を行っている。
【００４３】
ここで、画像投射装置１は、待機時の消費電力を低減するために、スタンバイ状態では、副制御部２８以外は電源が供給されないようになっており、スタンバイ状態では副制御部２８が画像投射装置１を制御している。このように、スタンバイ状態では、副制御部２８は電源が供給された有効な状態であって、主制御部２４は電源が供給されない無効な状態となっている。
【００４４】
（外部機器との接続）
図７は、画像投射システム１００における画像投射装置１と外部機器との接続状態についての説明図である。ここでは、画像投射装置１が映像供給装置１１０であるＤＶＤプレーヤーとＨＤＭＩケーブル１２０で接続されている場合を例にする。
【００４５】
画像投射装置１は、ＡＣコンセント５０とＡＣ電源ケーブル５１で接続されており、スタンバイ状態となっている。すなわち、上記のように副制御部２８にのみ電源が供給された稼働した状態であり、他の部位には電源供給がされず停止した状態となっている。画像投射装置１の消費電力が最小の状態となっている。なお、画像投射装置１の電源オン状態とは、主制御部２４が起動した状態をいう。
【００４６】
映像供給装置１１０は、ＡＣコンセント１５０にＡＣ電源ケーブル１５１を接続すると、電源が入って内部の初期化処理が行われる。この時、以下のいずれかのケースとなる。
（ケース１）初期化処理後、スタンバイ状態となる場合であって、映像信号は出力せず、５Ｖ信号だけ出力している状態。
（ケース２）初期化処理後、電源オン状態となる場合であって、映像信号および５Ｖ信号を出力している状態。
（ケース３）また、初期化処理において５Ｖ信号を出力する機器もある。
なお、映像供給装置１１０の電源オン状態とは、映像信号を出力可能な起動状態にあることをいう。
【００４７】
図８は、画像投射システム１００における画像投射装置１と外部機器との接続状態での機能ブロック図であって、副制御部２８の詳細およびＨＤＭＩケーブル１２０内の信号ラインの説明図である。
【００４８】
副制御部２８は、ＣＥＣライン１２２を介して、映像供給装置１１０へ電源オンコマンド（電源オン信号）を送信する電源オン信号出力手段２９と、主制御部２４を起動させるための制御信号を出力する主制御部起動手段３０と、ＣＥＣライン１２２を介して、映像供給装置１１０へステータス確認コマンド（ステータス確認信号）を送信するステータス確認信号出力手段３１と、を備えている。
【００４９】
５Ｖ信号は、映像供給装置１１０の制御部１１２から出力され、画像出力端子１１１（ＨＤＭＩ出力端子）、５Ｖライン１２１、画像投射装置１の画像入力端子２１を介して、副制御部２８に接続されている。副制御部２８にて、５Ｖ信号の入力検知を行っている。
【００５０】
ＣＥＣ信号は、画像出力端子１１１、ＣＥＣライン１２２、画像入力端子２１を介して、映像供給装置１１０の制御部１１２と副制御部２８との間で送受信される。例えば、副制御部２８から制御部１１２へ電源オンコマンド、ステータス情報コマンドなどが送信されたり、制御部１１２から副制御部２８へ電源オンコマンドへの応答、ステータス情報コマンドへの応答、電源オンコマンドなどが送信されたりする。
【００５１】
映像信号は、映像供給装置１１０の映像処理部１１３から出力され、画像出力端子１１１、映像信号ライン１２３（ＴＭＤＳチャネル）、画像入力端子２１を介して、映像処理部２２で受信され、後段の各部へ信号が送られる。
【００５２】
この画像投射システム１００では、映像供給装置１１０がＡＣ電源に接続されて、５Ｖ出力を行うと、副制御部２８はこれを検知し、その後、ＣＥＣライン１２２により映像供給装置１１０との信号の送受信を行い、所定の条件下で、主制御部２４に対し、画像投射装置１を起動させる制御信号を出力して起動させる。そして、画像投射装置１は、ランプ点灯を行い、入力された映像が投射される。
【００５３】
（電源制御）
図９は、本実施形態に係る画像投射装置１が実行する電源制御の一例を示すフローチャートである。
【００５４】
画像投射装置１は、スタンバイ状態である（Ｓ１０１）。スタンバイ状態の画像投射装置１は、所定の信号の入力や操作部２６からの操作を待機している（Ｓ１０２）。
【００５５】
ここで、副制御部２８が映像供給装置１１０から出力される５Ｖ信号を検知すると（Ｓ１０３：Ｙ）、副制御部２８の電源オン信号出力手段２９は、ＣＥＣライン１２２を介して、映像供給装置１１０へ電源オンコマンドを送信することで電源オンを指示する（Ｓ１０４）。
【００５６】
次いで、映像供給装置１１０から電源オンコマンドの応答があった場合（Ｓ１０５：Ｙ）、すなわち、映像供給装置１１０が映像信号を出力可能な状態である旨の応答があった場合には、副制御部２８の主制御部起動手段３０は、主制御部２４を起動させるための制御信号を出力して、主制御部２４を起動させる。これを受けた主制御部２４は画像投射装置１を電源オン状態として、ランプ１５の点灯を開始する（Ｓ１０６）。
【００５７】
一方、映像供給装置１１０から応答がない場合（Ｓ１０５：Ｎ）は、画像投射装置１は、スタンバイ状態を維持する（Ｓ１０７）。スタンバイ状態において、映像供給装置１１０からＣＥＣライン１２２を介して電源オンコマンドを受信したら（Ｓ１０８：Ｙ）、制御部２４を起動させて画像投射装置１を電源オン状態として、ランプ１５の点灯を開始する（Ｓ１０６）。また、映像供給装置１１０から電源オンコマンドを受信しなければ（Ｓ１０８：Ｎ）、スタンバイ状態を維持し続ける（Ｓ１０９）。
【００５８】
以上説明した本実施形態に係る画像投射装置１によれば、ＡＣ電源オン直後の初期化処理中やスタンバイ状態において、所定の電源をシンク機に供給する外部機器（上述したケース１〜３のいずれに該当する機器）と、画像投射装置１と、を接続する場合において、映像供給装置１１０のＡＣ電源ケーブル１５１がＡＣコンセント１５０に挿入されると、スタンバイ状態の画像投射装置１を電源オン状態とすることができるとともに、映像供給装置１１０も映像信号の出力が可能な起動状態とすることができる。よって、無信号状態でランプ１５が点灯する状態となることがない。
【００５９】
よって、例えば、デジタルサイネージなどにおいて、映像供給装置１１０の電源制御で自動的に画像投射システム１００を管理したい場合に好適な画像投射装置１とすることができる。
【００６０】
［第２の実施形態］
以下、本発明に係る画像投射装置の他の実施形態について説明する。なお、上記実施形態と同様の点についての説明は適宜省略する。本実施形態に係る画像投射装置（画像投射装置１）は、副制御部（副制御部２８）は、スタンバイ状態において電圧信号（５Ｖ信号）の入力を検知したときに、映像供給装置の状態を確認するステータス確認信号を映像供給装置に出力するステータス確認信号出力手段（ステータス確認信号出力手段３１）をさらに備え、電源オン信号出力手段（電源オン信号出力手段２９）は、ステータス確認信号の応答として映像供給装置がスタンバイ状態である旨の応答を受けた際に、映像供給装置に対して電源オン信号を出力するものである。なお、括弧内は実施形態での符号、適用例を示す。
【００６１】
図１０は、本実施形態に係る画像投射装置１が実行する電源制御の他の例を示すフローチャートである。
【００６２】
画像投射装置１は、スタンバイ状態である（Ｓ２０１）。スタンバイ状態の画像投射装置１は、所定の信号の入力や操作部２６からの操作を待機している（Ｓ２０２）。
【００６３】
ここで、副制御部２８が映像供給装置１１０から出力される５Ｖ信号を検知すると（Ｓ２０３：Ｙ）、副制御部２８のステータス確認信号出力手段３１は、ＣＥＣライン１２２を介して、映像供給装置１１０へステータス確認コマンドを送信することで映像供給装置１１０のステータス情報を要求する（Ｓ２０４）。
【００６４】
ステータス確認コマンドに対して、映像供給装置１１０からステータス情報の応答があった場合（Ｓ２０５：Ｙ）、副制御部２８でステータス情報を判定する（Ｓ２０６）。ここで、映像供給装置１１０のステータスが電源オン状態である場合（Ｓ２０６：電源オン状態）は、副制御部２８の主制御部起動手段３０は、主制御部２４を起動させるための制御信号を出力して、主制御部２４を起動させる。これを受けた主制御部２４は画像投射装置１を電源オン状態として、ランプ１５の点灯を開始する（Ｓ２０７）。
【００６５】
一方、映像供給装置１１０のステータスがスタンバイ状態である場合（Ｓ２０６：スタンバイ状態）は、副制御部２８の電源オン信号出力手段２９は、ＣＥＣライン１２２を介して、映像供給装置１１０へ電源オンコマンドを送信することで電源オンを指示する（Ｓ２０８）。
【００６６】
次いで、映像供給装置１１０から電源オンコマンドの応答があった場合（Ｓ２０９：Ｙ）は、主制御部起動手段３０は、主制御部２４を起動させて、画像投射装置１を電源オン状態として、ランプ１５の点灯を開始する（Ｓ２０７）。一方、映像供給装置１１０から応答がない場合（Ｓ２０９：Ｎ）は、画像投射装置１は、スタンバイ状態を維持する（Ｓ２１０）。
【００６７】
また、映像供給装置１１０からステータス情報取得コマンドへの応答がない場合（Ｓ２０５：Ｎ）も、画像投射装置１はスタンバイ状態を維持する（Ｓ２１０）。
【００６８】
スタンバイ状態において、映像供給装置１１０からＣＥＣライン１２２を介して電源オンコマンドを受信したら（Ｓ２１１：Ｙ）、制御部２４を起動させて画像投射装置１を電源オン状態として、ランプ１５の点灯を開始する（Ｓ２０７）。また、映像供給装置１１０から電源オンコマンドを受信しなければ（Ｓ２１１：Ｎ）、スタンバイ状態を維持し続ける（Ｓ２１２）。
【００６９】
以上説明した本実施形態に係る画像投射装置１によれば、ＡＣ電源オン直後の初期化処理中やスタンバイ状態において、所定の電源をシンク機に供給する外部機器（上述したケース１〜３のいずれに該当する機器）と、画像投射装置１と、を接続する場合において、映像供給装置１１０のＡＣ電源ケーブル１５１がＡＣコンセント１５０に挿入されると、外部機器側のステータス状態の確認を行い、外部機器側がスタンバイ状態なら電源オンにするように命令を行い、外部機器側を電源オン（映像信号の出力が可能な起動状態である）させるとともに、画像投射装置１側も電源オンさせることができる。
【００７０】
尚、上述の実施形態は本発明の好適な実施の例ではあるがこれに限定されるものではなく、本発明の要旨を逸脱しない範囲において種々変形実施可能である。
【００７１】
例えば、上記実施形態では、画像投射装置１は、ＤＬＰ(Digital Light Processing)方式のプロジェクタを例に説明したが、これに限られるものではなく、ＬＣＤ（Liquid Crystal Display）方式、ＬＣＯＳ（Liquid  crystal  on  silicon）方式等であってもよい。また、光源としてアークランプを用いる例について説明したが、これに限られるものではなく、レーザ、ＬＥＤ等を用いてもよい。
【００７２】
また、画像投射装置１の電源オン信号出力手段２９、主制御部起動手段３０、ステータス確認信号出力手段３１の各部は、例えば、副制御部２８が備えるＣＰＵでソフトウェア（制御プログラム）を実行させることで構成できる。
【符号の説明】
【００７３】
１  画像投射装置
２  外装カバー
３  光学エンジン
３ａ  照明ユニット
３ｂ  投射ユニット
４  光源ユニット
５  カラーホイール
６  ライトトンネル
７  リレーレンズ
８  平面ミラー
９  凹面ミラー
１０  画像表示素子ユニット
１０ａ  ＤＭＤ素子
１１  吸気口
１２  排気口
１３  吸気ファン
１４  排気ファン
１５  ランプ
１６  ファン
２１  画像入力端子
２２  映像処理部
２３  スケール処理部
２４  主制御部
２５  メモリ
２６  操作部
２７  ドライブ回路
２８  副制御部
２９  電源オン信号出力手段
３０  主制御部起動手段
３１  ステータス確認信号出力手段
５０  ＡＣコンセント
５１  ＡＣ電源ケーブル
１００  画像投射システム
１１０  映像供給装置（外部機器）
１１１  画像出力端子
１１２  制御部
１１３  映像処理部
１２０  ケーブル（ＨＤＭＩケーブル）
１２１  ５Ｖライン
１２２  ＣＥＣライン
１２３  映像信号ライン
１３０  スクリーン（被投射面）
１４０  投射画像
１５０  ＡＣコンセント
１５１  ＡＣ電源ケーブル
【先行技術文献】
【特許文献】
【００７４】
【特許文献１】特開２０１４−４１３６４号公報
【図２】
2016100664.tif 000003
【図３】
2016100664.tif 000004
【図４】
2016100664.tif 000005
【図５】
2016100664.tif 000006
【図９】
2016100664.tif 000007
【図１０】
2016100664.tif 000008
【図１】
2016100664.tif 000009
【図６】
2016100664.tif 000010
【図７】
2016100664.tif 000011
【図８】
2016100664.tif 000012